(57)【要約】【課題】箱形ヘッダーの側板かから突出した伝熱管の角部（より詳しくは伝熱管の突出部分の外周囲及び伝熱管が挿通された側板の管孔周縁）を効率よく周溶接するために使用される管端自動溶接機を提供することである。【手段】管端溶接機１０は、モータにより回転する回転部１２と、回転部１２の先端に設けられると共に、周溶接可能なように伝熱管３の突出部分３ａに対して外側で且つ所定角度傾斜して配置される溶接トーチ１４とを備える。回転部１２は、モータに連結され前方に向けて真っ直ぐに延びる回転部本体１２ａと、回転部本体１２ａに連なり溶接トーチ１４がプラグ孔５から挿入可能なように１箇所若しくは複数個所で折れ曲げられた折曲部分１２ｂとで構成されている。【選択図】図６
2014046340.tif 000002
【特許請求の範囲】
【請求項１】
対向する一対の側板のうちの一方の側板には管孔が形成され、他方の側板には前記管孔に対応したプラグ孔が形成された箱型のヘッダーにおいて、前記管孔に伝熱管の端部を挿入して前記一方の側板から突出させ、この伝熱管の突出部分の外周囲と、伝熱管が挿通された前記一方の側板の管孔の周縁とを周溶接するために使用される管端溶接機であって、
駆動手段により回転する回転部と、
前記回転部の先端に設けられると共に、前記周溶接可能なように前記伝熱管の突出部分に対して外側で且つ所定角度傾斜して配置される溶接トーチとを備え、
前記回転部は、駆動手段に連結され前方に向けて真っ直ぐに延びる回転部本体と、該回転部本体に連なり前記溶接トーチが前記プラグ孔から挿入可能なように１箇所若しくは複数個所で折れ曲げられた折曲部分とで構成されていることを特徴とする管端溶接機。
【請求項２】
前記溶接トーチの前方に設けられ、前記回転部本体の軸芯と溶接すべき伝熱管の軸芯を正確に一致させるために設けられている管芯出し金具を有する請求項１記載の管端溶接機。
【請求項３】
前記管芯出し金具を支持する支持軸は、管芯出し金具の中心から偏心した位置で支持する構成である請求項２記載の管端溶接機。
【請求項４】
対向する一対の側板のうちの一方の側板には管孔が形成され、他方の側板には前記管孔に対応したプラグ孔が形成された箱型のヘッダーにおいて、前記管孔に伝熱管の端部を挿入して前記一方の側板から突出させ、伝熱管の突出部分を管端溶接するに際して、溶接する部分の管孔に対応したプラグ孔から管端溶接機の回転部及び該回転部先端に備えられた溶接トーチを挿入し、該溶接トーチにより前記伝熱管の突出部分の外周囲と、伝熱管が挿通された前記一方の側板の管孔の周縁とを周溶接することを特徴とする管端溶接方法。
【請求項５】
対向する一対の側板のうちの一方の側板には所定の配列で複数の管孔が形成され、他方の側板には前記管孔に対応して管孔と同様の配列で複数のプラグ孔が形成されている一対の箱型のヘッダーを備え、該一対の箱型のヘッダー間を連結する複数の伝熱管の両端部が、各箱型のヘッダーの前記管孔に挿入された構造の空冷式熱交換器であって、
前記各伝熱管の両端部はそれぞれ各ヘッダーの前記一方の側板から突出しており、この伝熱管の突出部分の外周囲と、伝熱管が挿通された前記一方の側板の管孔の周縁とが管端溶接され、各伝熱管が各ヘッダーに支持固定されていることを特徴とする空冷式熱交換器。
【請求項６】
一対の箱型のヘッダーと、一対の箱型のヘッダー間を連結する複数の伝熱管とを備える空冷式熱交換器を製造する方法であって、
対向する一対の側板のうちの一方の側板には所定の配列で複数の管孔が形成され、他方の側板には前記管孔に対応して管孔と同様の配列で複数のプラグ孔が形成された箱型のヘッダーを作製するヘッダー作製工程と、
複数の伝熱管の端部を、前記ヘッダー作製工程により作製された箱型のヘッダーの管孔に挿入して前記一方の側板から突出させ、この伝熱管の突出部分の外周囲と、伝熱管が挿通された前記一方の側板の管孔の周縁とを周溶接する管端溶接工程と、
を含むことを特徴とする空冷式熱交換器の製造方法。
【発明の詳細な説明】
【技術分野】
【０００１】
本発明は、空冷式熱交換器の製造過程において、多数の伝熱管を箱型のヘッダーに接合するために行われる管端溶接技術に関するものである。
【背景技術】
【０００２】
通常、熱交換器の製造工程では、多数の伝熱管と、管支持用の板（管板と称する）とを接合するため、各伝熱管の端部外周囲と、伝熱管が挿通された管板の各孔の周縁とを周溶接する管端溶接と呼ばれている溶接作業が行われている（以下の特許文献１参照）。
【０００３】
一方、空冷式熱交換器では、予め箱型にヘッダーを組み立てておき、この箱型のヘッダーに多数の伝熱管を管端溶接して伝熱管と箱型のヘッダーとを接合している。以下、図１０及び図１１を参照して、空冷式熱交換器における管端溶接作業を説明する。箱型のヘッダー１００の一方の側板１０１には、多数の管孔１０２が形成されており、箱型のヘッダー１００の他方の側板１０３には、多数のプラグ孔１０４が形成されている。管端溶接に際しては、管端溶接機１０５の支持筒１０６を、溶接する部分のプラグ孔１０４及び管孔１０２に挿入する。このとき、支持筒１０６の先端は、側板１０１の内側表面１０１ａから例えば１０ｍｍ程度奥まった位置まで挿入されている。このような状態では、支持筒１０６は、プラグ孔１０４及び管孔１０２の２点で支持される。そして、このような支持状態で、支持筒１０６の先端内部に設けられているタングステン電極を含む溶接トーチ（図示せず）を、支持筒１０６の軸回りに回転させ、伝熱管１０８の周縁の溶接を行っている。なお、図１１において参照符号Ａは溶接部分を示す。
【０００４】
なお、参考までに述べると、空冷式熱交換器の製造に際しては、先ず、側板１０１に多数の伝熱管１０８を管端溶接し、その後、その側板１０１を含む複数の金属板を溶接して箱型のヘッダー１００に組み立てることも可能である。このような方法であれば、箱型のヘッダー組み立て後に管端溶接する方法に比べて、溶接作業が容易である。しかしながら、空冷式熱交換器の場合、箱型のヘッダー組み立て前に管端溶接する方法は、以下の理由により採用できない。即ち、空冷式熱交換器のヘッダーは法令（高圧ガス保安法）等で溶接部は溶接後応力除去熱処理が義務付けられている。従って、仮に、先に管端溶接を行ってしまうと、ヘッダー自身の溶接部の熱処理ができなくなり、空冷式熱交換器の使用中に応力腐食割れ等の発生により漏れが生じる危険がある。そこで、現在はヘッダーを溶接で作製し、ヘッダー単体で応力除去熱処理を行った後、伝熱管を取付け、管端溶接を行っている。
【先行技術文献】
【特許文献】
【０００５】
【特許文献１】特開２００６−７５８７０号公報
【発明の概要】
【発明が解決しようとする課題】
【０００６】
上記従来例では、側板１０１の内側表面１０１ａから１０ｍｍ程度奥まった位置で管端溶接を行っている。
一方、このよう側板の内側表面から奥まった位置で管端溶接を行う構成以外に、法令上の要請から、図１２に示すように伝熱管１０８を側板１０１から突き出し、この突出部分の角部（より詳しくは伝熱管の突出部分の外周囲及び伝熱管が挿通された側板の管孔周縁）を溶接する構成も存在している。このように突出部分の角部を溶接するのは以下の理由による。即ち、一般的な側板の内側表面位置で管端溶接を行う場合、法令上における強度計算は、管の端から側板の端までの長さに基づいて行う。そのため、側板の内側表面位置で管端溶接する場合、側板の端から管の端までの長さがどうしても側板の厚みよりも小さくなるため、側板の厚みそのものを厚くすることによって側板の端から管の端までの長さを大きくし、強度を保つようにしている。しかし、予め側板を厚くすることは、無駄な材料を必要として、コストの上昇を招来する。これに対して、伝熱管の突出部分の角部を溶接する場合は、側板の厚みそのものを厚くする必要がなく、無駄な材料の抑制が図れるという利点を有することから、突出部分の角部を溶接することが要請されている。
【０００７】
本願発明は、上記課題に鑑みて考え出されたものであり、その目的は、先に箱型ヘッダーを作製し、その後、箱形ヘッダーの側板から突出した伝熱管の角部（より詳しくは伝熱管の突出部分の外周囲及び伝熱管が挿通された側板の管孔周縁）を効率よく周溶接するために使用される管端溶接機、該管端溶接機を使用した管端溶接方法、その管端溶接方法を用いた空冷式熱交換器の製造方法、及び空冷式熱交換器を提供することである。
【課題を解決するための手段】
【０００８】
上記目的を達成するために請求項１記載の発明は、対向する一対の側板のうちの一方の側板には管孔が形成され、他方の側板には前記管孔に対応したプラグ孔が形成された箱型のヘッダーにおいて、前記管孔に伝熱管の端部を挿入して前記一方の側板から突出させ、この伝熱管の突出部分の外周囲と、伝熱管が挿通された前記一方の側板の管孔の周縁とを周溶接するために使用される管端溶接機であって、駆動手段により回転する回転部と、前記回転部の先端に設けられると共に、前記周溶接可能なように前記伝熱管の突出部分に対して外側で且つ所定角度傾斜して配置される溶接トーチとを備え、前記回転部は、駆動手段に連結され前方に向けて真っ直ぐに延びる回転部本体と、該回転部本体に連なり前記溶接トーチが前記プラグ孔から挿入可能なように１箇所若しくは複数個所で折れ曲げられた折曲部分とで構成されていることを特徴とする。
【０００９】
上記の如く、先端に溶接トーチを備える回転部を、１箇所若しくは複数個所で折れ曲げられた折曲部分を有する形状とすることにより、溶接トーチをプラグ孔から挿入可能となる。これにより、箱形ヘッダーの側板から突出した伝熱管の角部（より詳しくは伝熱管の突出部分の外周囲及び伝熱管が挿通された側板の管孔周縁）を周溶接する管端溶接機が実現される。
【００１０】
また、請求項２記載の発明は、請求項１記載の管端溶接機であって、前記溶接トーチの前方に設けられ、前記回転部本体の軸芯と溶接すべき伝熱管の軸芯を正確に一致させるために設けられている管芯出し金具を有することを特徴とする。
【００１１】
上記構成によれば、回転部本体の軸芯と溶接すべき伝熱管の軸芯とを正確に一致させることができ、溶接精度が向上する。
【００１２】
また、請求項３記載の発明は、請求項２記載の管端溶接機であって、前記管芯出し金具を支持する支持軸は、管芯出し金具の中心から偏心した位置で支持する構成であることを特徴とする。
【００１３】
上記構成によれば、回転部先端のぶれの抑制を図ることができ、溶接精度が向上する。
【００１４】
また、請求項４記載の発明は、管端溶接方法であって、対向する一対の側板のうちの一方の側板には管孔が形成され、他方の側板には前記管孔に対応したプラグ孔が形成された箱型のヘッダーにおいて、前記管孔に伝熱管の端部を挿入して前記一方の側板から突出させ、伝熱管の突出部分を管端溶接するに際して、溶接する部分の管孔に対応したプラグ孔から管端溶接機の回転部及び該回転部先端に備えられた溶接トーチを挿入し、該溶接トーチにより前記伝熱管の突出部分の外周囲と、伝熱管が挿通された前記一方の側板の管孔の周縁とを周溶接することを特徴とする。
【００１５】
上記構成により、プラグ孔から溶接機を挿入し、他のプラグ孔を介して溶接部分を目視して手作業で行う従来例の場合に比べて、作業性が向上する。
【００１６】
また、請求項５記載の発明は、対向する一対の側板のうちの一方の側板には所定の配列で複数の管孔が形成され、他方の側板には前記管孔に対応して管孔と同様の配列で複数のプラグ孔が形成されている一対の箱型のヘッダーを備え、該一対の箱型のヘッダー間を連結する複数の伝熱管の両端部が、各箱型のヘッダーの前記管孔に挿入された構造の空冷式熱交換器であって、前記各伝熱管の両端部はそれぞれ各ヘッダーの前記一方の側板から突出しており、この伝熱管の突出部分の外周囲と、伝熱管が挿通された前記一方の側板の管孔の周縁とが管端溶接され、各伝熱管が各ヘッダーに支持固定されていることを特徴とする。
【００１７】
上記構成により、従来例に比べて、ヘッダーの厚みを薄くすることができるので、材料費の低減を図ることができる。特に、高級材料（例えば、チタン、インコロイ）を使用する場合にそのメリットが大きい。
【００１８】
また、請求項６記載の発明は、一対の箱型のヘッダーと、一対の箱型のヘッダー間を連結する複数の伝熱管とを備える空冷式熱交換器を製造する方法であって、対向する一対の側板のうちの一方の側板には所定の配列で複数の管孔が形成され、他方の側板には前記管孔に対応して管孔と同様の配列で複数のプラグ孔が形成された箱型のヘッダーを作製するヘッダー作製工程と、複数の伝熱管の端部を、前記ヘッダー作製工程により作製された箱型のヘッダーの管孔に挿入して前記一方の側板から突出させ、この伝熱管の突出部分の外周囲と、伝熱管が挿通された前記一方の側板の管孔の周縁とを周溶接する管端溶接工程と、を含むことを特徴とする。
【００１９】
上記構成により、プラグ孔から溶接機を挿入し、他のプラグ孔を介して溶接部分を目視して手作業で行う従来例の場合に比べて、作業性が向上すると共に、精度のバラツキがなく高精度の空冷式熱交換器を得ることができる。
【発明の効果】
【００２０】
本発明の管端溶接機によれば、先端に溶接トーチを備える回転部を、１箇所若しくは複数個所で折れ曲げられた折曲部分を有する形状とすることにより、溶接トーチをプラグ孔から挿入可能となる。この結果、先に箱形ヘッダーを作製し、その後、箱形ヘッダーの側板から突出した伝熱管の角部（より詳しくは伝熱管の突出部分の外周囲及び伝熱管が挿通された側板の管孔周縁）を効率よく周溶接する管端溶接機が実現される。
【００２１】
また、本発明の管端溶接方法によれば、プラグ孔から溶接機を挿入し、他のプラグ孔を介して溶接部分を目視して手作業で行う従来例の場合に比べて、作業性が向上する。
【００２２】
また、本発明の空冷式熱交換器によれば、箱形ヘッダーの側板から突出した伝熱管の角部で管端溶接されることにより、従来例に比べて、ヘッダーの厚みを薄くすることができるので、材料費の低減を図ることができる。
【００２３】
また、本発明の空冷式熱交換器の製造方法によれば、プラグ孔から溶接機を挿入し、他のプラグ孔を介して溶接部分を目視して手作業で行う従来例の場合に比べて、作業性が向上すると共に、均一な精度の向上した空冷式熱交換器を得ることができる。
【図面の簡単な説明】
【００２４】
【図１】本発明に係る管端溶接方法を用いて製造された空冷式熱交換器の正面図。
【図２】空冷式熱交換器に備えられるヘッダー付近の分解斜視図。
【図３】図２とは反対方向から見たヘッダー付近の分解斜視図。
【図４】空冷式熱交換器に備えられるヘッダーの縦断面図。
【図５】穴効率の定義を説明するための図。
【図６】実施の形態１に係る管端自動溶接機がヘッダーに挿入された状態を示す縦断面図。
【図７】管芯出し金具を支持する支持軸の他の変形例を示す図。
【図８】実施の形態２に係る管端自動溶接機がヘッダーに挿入された状態を示す縦断面図。
【図９】実施の形態３に係る管端自動溶接機がヘッダーに挿入された状態を示す横断面図。
【図１０】従来例の管端溶接方法を説明するための図。
【図１１】図１０の一部拡大図。
【図１２】管端溶接方法を説明するための図。
【発明を実施するための形態】
【００２５】
以下、本発明を実施の形態に基づいて詳述する。なお、本発明は、以下の実施の形態に限定されるものではない。
図１は本発明に係る管端溶接方法を用いて製造された空冷式熱交換器の正面図、図２は空冷式熱交換器に備えられるヘッダー付近の分解斜視図、図３は図２とは反対方向から見たヘッダー付近の分解斜視図、図４は空冷式熱交換器に備えられるヘッダーの縦断面図である。本実施の形態に係る空冷式熱交換器１は、後述するように、管端自動溶接機を用いた管端溶接方法により製造されたものである。この空冷式熱交換器１は、一対の箱型のヘッダー２，２と、一対のヘッダー２，２間を連結する多数のフィン付伝熱管（いわゆるフィンチューブ）３とを有する。ヘッダー２における一対の側板２ａ，２ｂのうちの一方の側板２ａ（一対の箱型のヘッダー２の対向する側の側板）には、図２に示すように、多数の管孔４が千鳥格子状に配列されて形成されている。本実施の形態では、管孔４は千鳥格子状に配列されているが、本発明はこれに限定されず、例えば碁盤目状或いはその他の配列であってもよい。この各管孔４には、伝熱管３の端部３ａが挿入され側板２ａから突出しており、図４に示すように伝熱管の該突出部分（端部３ａに相当）の外周囲と、伝熱管３が挿通された側板２ａの管孔４の周縁とが周溶接されている。これにより、多数の伝熱管３は側板２ａに支持固定されている。
【００２６】
なお、図４において参照符号Ａは溶接部分を示している。これにより、側板２ａの厚みを薄くすることができるので、材料費の低減を図ることができる。特に、高級材料（例えば、チタン、インコロイ）を使用する場合にそのメリットが大きい。
【００２７】
また、ヘッダー２における他方の側板２ｂには、図３に示すように、予め各管孔４に対応して管孔４と同様の配列で多数のプラグ孔５が形成されている。このプラグ孔５の内周面にはネジが切られており、プラグ６のネジ部が螺合している。
【００２８】
ここで、管孔４の径は、２０ｍｍ〜４０ｍｍの範囲である。プラグ孔５の径は、２５ｍｍ〜５０ｍｍの範囲である。また、管孔４の径とプラグ孔５の径の比は、１．００：１．０１〜１．００：１．５０の範囲、好ましくは１．００：１．０８〜１．００：１．２５範囲である。上記のようにプラグ孔５の径及び、管孔４の径に対するプラグ孔５の径の比を規制するのは以下の理由による。即ち、プラグ孔５の径が大き過ぎる場合には、ヘッダー２の強度が小さくなり、それを解消しようとすると側板２ｂの板厚を大きくする必要があり、材料費が高くなるからである。
【００２９】
一方、プラグ孔５の径が小さ過ぎる場合には、伝熱管３の交換作業を行うことが困難となるからである。より詳しく説明すると、伝熱管３の交換作業を行う際には、プラグ６をプラグ孔５から取り外し、カッター等の切削工具等により溶接金属を除去する必要がある。このとき、プラグ孔５の径が小さ過ぎる場合には、管端溶接部を充分に目視できず、溶接金属を完全に除去できない場合が生じ、そのため、伝熱管３の端部を側板２ａから剥がすことが困難になるという事態が生じるからである。
【００３０】
そこで、プラグ孔５の径及び管孔４の径に対するプラグ孔５の径の比は、ヘッダー２の強度と材料費、さらには伝熱管３の交換時の作業性等を総合的に勘案して、最適な範囲に設定されている。
なお、管孔４の穴効率は、４５％〜７０％の範囲であり、好ましくは５２％〜６４％の範囲である。プラグ孔５の開口率は、４０％〜６５％の範囲であり、好ましくは４５％〜６０％の範囲である。ここで、穴効率とは、図５に示すように、穴のピッチがｐで、穴の直径がｄとすると、穴効率（％）＝｛（ｐ−ｄ）／ｐ｝×１００で示される。
【００３１】
図６は管端自動溶接機がヘッダーに挿入された状態を示す縦断面図である。この図６を参照して、本実施の形態において使用される管端自動溶接機の構成を説明する。管端自動溶接機１０は、管端自動溶接機本体１１と、本体１１に連結された細長い回転部１２とを有する。回転部１２は、本体１１内に設けられたモータにより回転する。この回転部１２の先端にはタングステン電極１３を含む溶接トーチ１４が備えられている。タングステン電極１３は、伝熱管３の突出部分３ａに対して外側で且つ所定角度傾斜して配置されている。回転部１２は、本体１１内に設けられたモータに連結され前方に向けて真っ直ぐに延びる回転部本体１２ａと、回転部本体１２ａに連なり溶接トーチ１４がプラグ孔５から挿入可能なように折れ曲げられた折曲部分１２ｂとで構成されている。なお、溶接トーチ１４をプラグ孔５から挿入可能とするためには、１箇所に限らず、複数個所で折れ曲げるように構成してもよい。
【００３２】
また、溶接トーチ１４の前方には、砲弾状の管芯出し金具１５が設けられている。管芯出し金具１５は、回転部本体１２ａの軸芯と溶接すべき伝熱管３の軸芯を正確に一致させるために設けられている。この管芯出し金具１５は支持軸１６によって回転部１２に支持されている。即ち、支持軸１６の一端側は回転部１２に固着されると共に、先端側に向けて折り曲げられ先端部が管芯出し金具１５の中心部に挿入された構成となっている。このような構成であれば、支持軸１６の先端部の軸芯と回転部本体１２ａの軸芯とが一致した構成となるので、管芯出しの精度が上がり、溶接の精度が向上することになる。
なお、図７に示すように、支持軸１６は管芯出し金具１５の中心から偏心した位置で支持する構成であってもよい。このように支持軸１６が偏心した位置で支持する構成とすることにより、回転部１２の先端（即ち溶接トーチ１４）のぶれを少なくでき、溶接の精度が向上する。この点について以下に詳述する。支持軸１６は回転部１２に固定されているので、支持軸１６の軸芯と溶接トーチ１４との間隔は一定である。一方、管芯出し金具１５の外壁と伝熱管３の内壁との間には隙間が存在している。そして、支持軸１６の軸芯と溶接トーチ１４との間隔は、支持軸１６を管芯出し金具１５の中心位置に配置した場合よりも管芯出し金具１５の中心から偏心した位置に配置した場合の方が小さい。従って、溶接トーチ１４が伝熱管３の外周囲を１回転する際の径方向に関する変位は、支持軸１６を偏心した位置に配置する構成の方が少ない。この結果、回転部１２の先端（即ち溶接トーチ１４）のぶれを少なくでき、溶接の精度が向上することになる。さらに、偏心位置を適宜変化させれば、伝熱管３の外周に最も近接した位置から最も離れた位置までの希望する領域に溶接範囲を設定することが可能となる。
【００３３】
また、回転部１２の先端側は管芯出し金具１５によって支持され、回転部１２の後側は吸盤２０、ピン２１等により支持されている。従って、回転部１２の支持状態の安定化が図られており、溶接トーチ１４にぶれが生じることなく管端溶接を行うことができるようになっている。
【００３４】
次いで、上記構成の管端自動溶接機１０を用いて空冷式熱交換器の製造工程において行われる管端溶接方法について説明する。
先ず、ヘッダー２の側板２ａにおける管孔４に伝熱管３を挿入し、側板２ａから２〜４ｍｍ程度突出させておく。一方、管端自動溶接機１０の溶接トーチ１４及び管芯出し金具１５をプラグ孔５から挿通させる。このとき、回転部１２は折曲部分１２ｂを有することから、プラグ孔５に回転部１２を進入させる角度を適宜変えつつ、回転部１２を徐々に進入させることにより、溶接トーチ１４及び管芯出し金具１５をプラグ孔５から挿通させることが可能となる。そして、図６に示すように管芯出し金具１５を伝熱管３内に挿入させた状態とする。なお、吸盤２０及びピン２１が側板２ｂの外側面に接触することにより、溶接トーチ１４の進入方向に関する位置決めがなされる。このような状態で、回転部１２の回転により、溶接トーチ１４が回転部本体１２ａの軸線Ｌ１回りに回転し、これにより、タングステン電極１３からのアークが伝熱管３の突出部分３ａの外周上に沿って移動し、伝熱管３の突出部分３ａの外周囲と、伝熱管３が挿通された側板２ａの管孔４の周縁とが周溶接されることになる。なお、管端自動溶接機１０は溶加材としての溶接ワイヤを自動供給する構成を含んでいてもよい。
【００３５】
なお、一方のヘッダー２の側板２ａにおける管孔４の横方向一列の管端溶接作業終了後は、上段又は下段に移行して同様の作業を行う。また、他方のヘッダー２の側板２ａに関しも伝熱管３の端部の管端溶接作業を行う。こうして、多数の伝熱管３の一端が、一方のヘッダー２の側板２ａに支持固定され、多数の伝熱管３の他端が、他方のヘッダー２の側板２ａに支持固定される。なお、プラグ孔５にはプラグ６が装着され、漏れのない程度の締め付けトルクで締め付けられ、プラグ孔５が密閉され、空冷式熱交換器１が得られることになる。
【００３６】
（実施の形態２）
図８は実施の形態２に係る管端自動溶接機の縦断面図である。この図８は管端自動溶接機がヘッダーに挿入された状態を示している。本実施の形態に係る管端自動溶接機１０Ａは、実施の形態１に係る管端自動溶接機１０に備えられていた管芯出し金具１５、吸盤２０及びピン２１等は省略されている。また、回転部１２は、回転部本体１２ａと複数（本実施の形態では２個）の折曲部分１２ｂとで構成されている。このような極めてシンプルな構造の管端自動溶接機１０Ａであっても、実施の形態１に係る管端自動溶接機１０と同様な方法で箱型ヘッダーを備えた空冷式熱交換器における伝熱管３の管端溶接を行うことができる。
【００３７】
（実施の形態３）
図９は実施の形態３に係る管端自動溶接機がヘッダーに挿入された状態を示す横断面図である。実施の形態３は、管端自動溶接機の固定を別の方法で行ったものである。つまり、溶接する部分の管孔に対応したプラグ孔以外のプラグ孔に、ガイド部材３５を挿入することにより、管端自動溶接機を固定するものである。
実施の形態３に係る管端自動溶接機１０Ｂは、実施の形態２の管端自動溶接機１０Ａに類似すると共に、本体１１の左右両側部に取付部３４がそれぞれ設けられ、この取付部３４に長手状のガイド部材３５が着脱自在に装着できるようになっている。なお、図９では管端自動溶接機１０Ｂを上方から見ている図のため、回転部１２が折曲していることが明確でないが、実際は回転部１２は折曲した形状である。即ち、本実施の形態３の管端自動溶接機１０Ｂにおける回転部１２は、実施の形態１，２と同様に回転部本体１２ａと、少なくとも１以上の折曲部分１２ｂとで構成されている。
ガイド部材３５は、プラグ孔５を挿通可能な本体部３５ａと、先端部３５ｂとを有する。
管端溶接を行うに際しては、先に回転部１２をプラグ孔５から挿入し、次いで、ガイド部材３５を、回転部１２が挿入されたプラグ孔５の横隣のプラグ孔５から挿入し、その状態でガイド部材３５を取付部３４に装着する。なお、先にガイド部材３５をプラグ孔５から挿入し、次いで、回転部１２を挿入するようにしてもよい。
なお、当該溶接する部分の管孔４の隣の管孔４に伝熱管３が溶接されている場合に、当該伝熱管３内にガイド部材３５の先端を挿入して回転部１２の支持状態を安定化するようにしてもよく、また、当該溶接する部分の管孔４の隣の管孔４に伝熱管３が溶接されていない場合に、当該隣の管孔４内にガイド部材３５の先端を挿入して回転部１２の支持状態を安定化するようにしてもよい。
【００３８】
次いで、上記構成の空冷式熱交換器の製造工程において行われる管端溶接方法について説明する。なお、以下の管端溶接方法では、先に回転部１２をプラグ孔５から挿入し、次いで、ガイド部材３５を、回転部１２が挿入されたプラグ孔５の横隣のプラグ孔５から挿入する方法で、且つ、当該溶接する部分の管孔４の隣の管孔４内にガイド部材３５の先端部３５ｂを挿入して、管端溶接を行う回転部１２の支持状態の安定化を図る場合の例を示す。
【００３９】
ヘッダー２の側板２ａにおける管孔４に伝熱管３を挿入し、側板２ａから２〜４ｍｍ程度突出させておく。一方、管端自動溶接機１０Ｂの溶接トーチをプラグ孔５から挿通させる。このとき、回転部１２は折曲部分１２ｂを有することから、プラグ孔５に回転部１２を進入させる角度を適宜変えつつ、回転部１２を徐々に進入させることにより、溶接トーチをプラグ孔５から挿通させることが可能となる。
次いで、ガイド部材３５を回転部１２の挿通したプラグ孔５の右横隣りのプラグ孔５から挿入し、その先端３５ｂが当該溶接する部分の管孔４の右横隣りの管孔４内に到達するまで押し込まれる。これにより、ガイド部材３５が管孔４及びプラグ孔５で支持固定されることにより、回転部１２の支持状態は安定しており、回転部１２の先端（即ち溶接トーチ）が、ぶれることはなく、安定した支持状態が維持される。
【００４０】
次いで、回転部１２の先端に備えられた溶接トーチからのアークにより管端溶接を行う。こうして、１つの管に関する管端溶接が終了すると、回転部１２及びガイド部材３５を個別に引き抜き、管端自動溶接機を横隣りに移動し、次いで、上記同様な処理を行う。
【００４１】
なお、横方向の一列の管端溶接作業終了後は、上段又は下段に移行して同様の作業を行う。こうして、多数の伝熱管３の一端が側板２ａに支持固定され、多数の伝熱管３の他端が側板２ｂに支持固定される。
なお、プラグ孔５にはプラグ６が装着され、漏れのない程度の締め付けトルクで締め付けられ、プラグ孔５が密閉され、空冷式熱交換器１が得られることになる。
【００４２】
また、右端又は左端を除く中央位置にある伝熱管３を管端溶接する場合には、ガイド部材３５を２個準備し、回転部１２の挿通したプラグ孔５の左右両横隣りのプラグ孔５に挿入するようにしてもよい。このようにすれば、さらに支持点が多くなり、回転部１２の支持状態をさらに安定化させることができる。
【００４３】
なお、上記実施の形態では、ガイド部材３５は回転部１２の左右両側に装着する構成とされていたが、回転部１２の斜め上側及び斜め下側に装着する構成であってもよい。この場合には、ガイド部材３５は回転部１２が挿入されるプラグ孔の斜め隣のプラグ孔５に挿入されることになる。
さらに、上記実施の形態では、ガイド部材３５は回転部１２が挿入されるプラグ孔の１つ横隣のプラグ孔５に挿入されるように構成されていたが、２つ若しくはそれ以上離れたプラグ孔５に挿入されるように構成されていてもよい。
【００４４】
（その他の事項）
上記実施の形態ではフィン付伝熱管３を使用したが、フィンのない伝熱管３を使用してもよい。
【産業上の利用可能性】
【００４５】
本発明は、空冷式熱交換器の管端溶接方法に適用することが可能である。
【符号の説明】
【００４６】
１：空冷式熱交換器        ２ａ，２ｂ：側板
３：伝熱管                      ３ａ：伝熱管３の突出部分
４：管孔                          ５：プラグ孔
６：プラグ            １０，１０Ａ，１０Ｂ：管端自動溶接機
１２：回転部                    １２ａ：回転部本体
１２ｂ：折曲部分                    １４：溶接トーチ
１５：管芯出し金具                １６：支持軸
３４：取付部                      ３５：ガイド部材
【図１】
2014046340.tif 000003
【図２】
2014046340.tif 000004
【図３】
2014046340.tif 000005
【図４】
2014046340.tif 000006
【図５】
2014046340.tif 000007
【図６】
2014046340.tif 000008
【図７】
2014046340.tif 000009
【図８】
2014046340.tif 000010
【図９】
2014046340.tif 000011
【図１０】
2014046340.tif 000012
【図１１】
2014046340.tif 000013
【図１２】
2014046340.tif 000014